(57)【要約】【課題】コネクタの装着位置を変更するなどの設計変更に、より円滑に対応できる技術を提供することを目的とする。【解決手段】ワイヤーハーネス１０は、複数の電線１４が、幹線１６と、前記幹線１６から分岐する枝線１８とを含むように束ねられた電線群１２と、底部２２と、前記底部２２に立設するように形成された一対の対向する側壁部２４とを含む半筒状に形成され、前記底部２２と前記側壁部２４とに囲まれる空間に前記電線群１２を収容可能であるプロテクタ２０と、前記枝線１８の端部に設けられたコネクタ５０と、を備える。一対の前記側壁部２４の少なくとも一方に複数の係止凹部２６が並列状に形成され、前記コネクタ５０が、係止構造を介して前記複数の係止凹部２６に選択的に係止可能である。【選択図】図１
2015154545.tif 000002
【特許請求の範囲】
【請求項１】
複数の電線が、幹線と、前記幹線から分岐する枝線とを含むように束ねられた電線群と、
底部と、前記底部に立設するように形成された一対の対向する側壁部とを含む半筒状に形成され、一対の前記側壁部の少なくとも一方に複数の係止凹部が並列状に形成されるとともに、前記底部と前記側壁部とに囲まれる空間に前記電線群を収容可能であるプロテクタと、
前記枝線の端部に設けられ、係止構造を介して前記複数の係止凹部に選択的に係止可能であるコネクタと、
を備える、ワイヤーハーネス。
【請求項２】
請求項１に記載のワイヤーハーネスであって、
前記係止凹部は、前記側壁部のうち前記プロテクタの内側を向く面と外側を向く面とを貫通するように形成された貫通孔である、ワイヤーハーネス。
【請求項３】
請求項２に記載のワイヤーハーネスであって、
前記プロテクタは、半筒状部分が直線状につながるように押出成形によって形成され、前記貫通孔は打ち抜き加工によって形成されている、ワイヤーハーネス。
【請求項４】
請求項２又は請求項３に記載のワイヤーハーネスであって、
バンド部と、前記バンド部の一端側につながるとともに、前記バンド部を係止可能なバンド固定部と、前記バンド固定部に設けられ、取付対象物に形成された取付孔に挿入及び係止可能な取付片とを含むバンドクリップをさらに備え、
前記バンド部が前記貫通孔に挿通されている、ワイヤーハーネス。
【請求項５】
請求項２〜請求項４のいずれか１項に記載のワイヤーハーネスであって、
前記プロテクタに、前記貫通孔と前記側壁部のうち立設方向の自由端側縁部とを結ぶガイド凹部がさらに形成され、
前記枝線が、前記ガイド凹部を通して前記貫通孔に挿通されている、ワイヤーハーネス。
【請求項６】
請求項１〜請求項５のいずれか１項に記載のワイヤーハーネスであって、
前記係止凹部は、一対の前記側壁部の両方に形成されている、ワイヤーハーネス。
【請求項７】
請求項１〜請求項６のいずれか１項に記載のワイヤーハーネスであって、
板状部と、前記板状部の両側方に立設する突部と、前記突部の先端に設けられ、前記複数の係止凹部に選択的に係止可能な爪部とを含む蓋部をさらに備える、ワイヤーハーネス。
【請求項８】
請求項１〜請求項７のいずれか１項に記載のワイヤーハーネスであって、
コネクタを挿入及び係止可能な挿入孔が形成されたコネクタ挿入部と、前記コネクタ挿入部から突出し、前記複数の係止凹部に選択的に係止可能な係止爪部とを含むコネクタ係止部材をさらに備える、ワイヤーハーネス。
【請求項９】
請求項１〜請求項８のいずれか１項に記載のワイヤーハーネスであって、
一対の前記側壁部は、その幅が前記コネクタの幅と等しくなるように設けられ、
前記コネクタは、その側方に前記複数の係止凹部に選択的に係止可能な引掛部が形成されている、ワイヤーハーネス。
【請求項１０】
請求項１〜請求項９のいずれか１項に記載のワイヤーハーネスであって、
前記側壁部の内向き面に突設され、前記プロテクタ内に収容された前記電線群が、前記プロテクタの外部に飛び出すことを抑える電線飛出抑制部をさらに備える、ワイヤーハーネス。
【請求項１１】
底部と、前記底部に立設するように形成された一対の対向する側壁部と、を含む半筒状に形成され、一対の前記側壁部の少なくとも一方に複数の貫通孔が並列状に形成されるとともに、前記底部と前記側壁部とに囲まれる空間に電線を収容可能である、プロテクタ。
【発明の詳細な説明】
【技術分野】
【０００１】
この発明は、車両に配設される電線を保護する技術に関する。
【背景技術】
【０００２】
車両に配設される電線には、保護及び経路規制等を目的として、その周囲にプロテクタが装着される場合がある。また、車両に配設される電線には、幹線から枝線が分岐している部分もある。このような場所へプロテクタを適用する技術が、例えば特許文献１〜特許文献３に記載されている。
【０００３】
このうち、特許文献１に記載のワイヤーハーネス保持装置は、収容本体部に対してコネクタ保持部材が着脱自在に装着されて、収容本体部の開口を閉蓋するものである。
【先行技術文献】
【特許文献】
【０００４】
【特許文献１】特開２００１−１９６１３９号公報
【特許文献２】特開２００６−３２００９６号公報
【特許文献３】特開平９−６６７７８号公報
【発明の概要】
【発明が解決しようとする課題】
【０００５】
しかしながら、特許文献１に記載のワイヤーハーネス保持装置によると、予め、コネクタ保持部材の所定の位置にコネクタ装着孔が設けられているため、コネクタの装着位置を変更するなどの設計変更に対応することが難しかった。
【０００６】
そこで、本発明は、コネクタの装着位置を変更するなどの設計変更に、より円滑に対応できる技術を提供することを目的とする。
【課題を解決するための手段】
【０００７】
上記課題を解決するため、第１の態様に係るワイヤーハーネスは、複数の電線が、幹線と、前記幹線から分岐する枝線とを含むように束ねられた電線群と、底部と、前記底部に立設するように形成された一対の対向する側壁部とを含む半筒状に形成され、一対の前記側壁部の少なくとも一方に複数の係止凹部が並列状に形成されるとともに、前記底部と前記側壁部とに囲まれる空間に前記電線群を収容可能であるプロテクタと、前記枝線の端部に設けられ、係止構造を介して前記複数の係止凹部に選択的に係止可能であるコネクタと、を備える。
【０００８】
第２の態様に係るワイヤーハーネスは、第１の態様に係るワイヤーハーネスであって、前記係止凹部は、前記側壁部のうち前記プロテクタの内側を向く面と外側を向く面とを貫通するように形成された貫通孔である。
【０００９】
第３の態様に係るワイヤーハーネスは、第２の態様に係るワイヤーハーネスであって、前記プロテクタは、半筒状部分が直線状につながるように押出成形によって形成され、前記貫通孔は打ち抜き加工によって形成されている。
【００１０】
第４の態様に係るワイヤーハーネスは、第２又は第３の態様に係るワイヤーハーネスであって、バンド部と、前記バンド部の一端側につながるとともに、前記バンド部を係止可能なバンド固定部と、前記バンド固定部に設けられ、取付対象物に形成された取付孔に挿入及び係止可能な取付片とを含むバンドクリップをさらに備え、前記バンド部が前記貫通孔に挿通されている。
【００１１】
第５の態様に係るワイヤーハーネスは、第２〜第４のいずれか１つの態様に係るワイヤーハーネスであって、前記プロテクタに、前記貫通孔と前記側壁部のうち立設方向の自由端側縁部とを結ぶガイド凹部がさらに形成され、前記枝線が、前記ガイド凹部を通して前記貫通孔に挿通されている。
【００１２】
第６の態様に係るワイヤーハーネスは、第１〜第５のいずれか１つの態様に係るワイヤーハーネスであって、前記係止凹部は、一対の前記側壁部の両方に形成されている。
【００１３】
第７の態様に係るワイヤーハーネスは、第１〜第６のいずれか１つの態様に係るワイヤーハーネスであって、板状部と、前記板状部の両側方に立設する突部と、前記突部の先端に設けられ、前記複数の係止凹部に選択的に係止可能な爪部とを含む蓋部をさらに備える。
【００１４】
第８の態様に係るワイヤーハーネスは、第１〜第７のいずれか１つの態様に係るワイヤーハーネスであって、コネクタを挿入及び係止可能な挿入孔が形成されたコネクタ挿入部と、前記コネクタ挿入部から突出し、前記複数の係止凹部に選択的に係止可能な係止爪部とを含むコネクタ係止部材をさらに備える。
【００１５】
第９の態様に係るワイヤーハーネスは、第１〜第８のいずれか１つの態様に係るワイヤーハーネスであって、一対の前記側壁部は、その幅が前記コネクタの幅と等しくなるように設けられ、前記コネクタは、その側方に前記複数の係止凹部に選択的に係止可能な引掛部が形成されている。
【００１６】
第１０の態様に係るワイヤーハーネスは、第１〜第９のいずれか１つの態様に係るワイヤーハーネスであって、前記側壁部の内向き面に突設され、前記プロテクタ内に収容された前記電線群が、前記プロテクタの外部に飛び出すことを抑える電線飛出抑制部をさらに備える。
【００１７】
第１１の態様に係るプロテクタは、底部と、前記底部に立設するように形成された一対の対向する側壁部と、を含む半筒状に形成され、一対の前記側壁部の少なくとも一方に複数の貫通孔が並列状に形成されるとともに、前記底部と前記側壁部とに囲まれる空間に電線を収容可能である。
【発明の効果】
【００１８】
第１〜第１０の態様に係るワイヤーハーネスによると、コネクタが係止構造を介して複数の係止凹部に選択的に係止可能であるため、コネクタの装着位置を変更するなどの設計変更に、より円滑に対応することができる。
【００１９】
特に、第２の態様に係るワイヤーハーネスによると、係止凹部は、側壁部のうちプロテクタの内側を向く面と外側を向く面とを貫通するように形成された貫通孔であるため、プロテクタに係止可能な部材の種類を多くすることができる。
【００２０】
特に、第３の態様に係るワイヤーハーネスによると、プロテクタは、半筒状部分が直線状につながるように押出成形によって形成され、貫通孔は打ち抜き加工によって形成されているため、プロテクタの製造が容易となる。
【００２１】
特に、第４の態様に係るワイヤーハーネスによると、バンドクリップのバンド部が貫通孔に挿通されているため、プロテクタの長手方向に対してバンドクリップの位置がずれるのを抑えることができる。
【００２２】
特に、第５の態様に係るワイヤーハーネスによると、プロテクタに、貫通孔と側壁部のうち立設方向の自由端側縁部とを結ぶガイド凹部がさらに形成されているため、枝線の中間部分をガイド凹部の開口部分から貫通孔まで通すことで枝線を貫通孔に挿通させることができる。このため、枝線を貫通孔に挿通させる際に、枝線をその先端から貫通孔に挿入させる必要がなくなる。これにより、枝線を貫通孔に挿通させやすくなる。
【００２３】
特に、第６の態様に係るワイヤーハーネスによると、係止凹部は、一対の側壁部の両方に形成されているため、プロテクタの両側の係止凹部を用いてコネクタを係止可能となることによって、コネクタのがたつきを抑えることができる。
【００２４】
特に、第７の態様に係るワイヤーハーネスによると、板状部と、板状部の両側方に立設する突部と、突部の先端に設けられ、複数の係止凹部に選択的に係止可能な爪部とを含む蓋部をさらに備えるため、プロテクタ内に収容された電線の周囲を囲うことができる。
【００２５】
特に、第８の態様に係るワイヤーハーネスによると、コネクタを挿入及び係止可能な挿入孔が形成されたコネクタ挿入部と、コネクタ挿入部から突出し、複数の係止凹部に選択的に係止可能な係止爪部とを含むコネクタ係止部材をさらに備えるため、コネクタの幅がプロテクタの幅と合わない場合でも、コネクタ係止部材によりコネクタをプロテクタの係止凹部に選択的に係止可能となる。
【００２６】
特に、第９の態様に係るワイヤーハーネスによると、一対の側壁部は、その幅がコネクタの幅と等しくなるように設けられ、コネクタは、その側方に係止凹部に係止可能な引掛部が形成されているため、プロテクタにコネクタをそのまま差し込み係止させることができる。
【００２７】
特に、第１０の態様に係るワイヤーハーネスによると、側壁部の内向き面に突設された電線飛出抑制部をさらに備えるため、プロテクタ内に収容された電線がプロテクタの外部に飛び出すことを抑えることができる。
【００２８】
特に、第１１の態様に係るプロテクタによると、底部と、底部に立設するように形成された一対の対向する側壁部と、を含む半筒状に形成され、一対の側壁部の少なくとも一方に複数の貫通孔が並列状に形成されるため、複数の貫通孔にコネクタ等を選択的に係止可能となる。
【図面の簡単な説明】
【００２９】
【図１】実施形態に係るワイヤーハーネスを示す正面図である。
【図２】図１のＩＩ−ＩＩ線に沿って切断した部分概略断面図である。
【図３】図１のＩＩＩ−ＩＩＩ線に沿って切断した部分概略断面図である。
【図４】図１のＩＶ−ＩＶ線に沿って切断した部分概略断面図である。
【図５】実施形態に係るプロテクタを示す概略斜視図である。
【図６】第１変形例に係るワイヤーハーネスを示す部分概略断面図である。
【図７】第２変形例に係るワイヤーハーネスを示す部分概略断面図である。
【図８】第３変形例に係るワイヤーハーネスを示す部分概略正面図である。
【図９】図８のＩＸ−ＩＸ線に沿って切断した部分概略断面図である。
【発明を実施するための形態】
【００３０】
｛実施形態｝
以下、実施形態に係るワイヤーハーネス１０及びプロテクタ２０について説明する。図１は、実施形態に係るワイヤーハーネス１０を示す正面図である。図２は、図１のＩＩ−ＩＩ線に沿って切断した部分概略断面図である。図３は、図１のＩＩＩ−ＩＩＩ線に沿って切断した部分概略断面図である。図４は、図１のＩＶ−ＩＶ線に沿って切断した部分概略断面図である。
【００３１】
実施形態に係るワイヤーハーネス１０は、電線群１２と、プロテクタ２０と、コネクタ５０とを備える。ここでは、ワイヤーハーネス１０は、さらにバンドクリップ６０と蓋部３０とを備える。
【００３２】
電線群１２は、複数の電線１４が、幹線１６と、幹線１６から分岐する枝線１８とを含むように束ねられている。幹線１６から分岐する枝線１８は、ここでは、４つ図示されているが、少なくとも１つあればよい。電線群１２は、車両等に配索されて各種電気部品同士を電気的に接続する配線材として用いられる。電線群１２には、光ファイバーケーブル等が含まれていてもよい。図１〜図４及び図６〜図９では、複数本の電線１４が束ねられた電線群１２の概形が描かれている。
【００３３】
次に、プロテクタ２０について説明する。図５は、実施形態に係るプロテクタ２０を示す概略斜視図である。
【００３４】
プロテクタ２０は、底部２２と、底部２２に立設するように形成された一対の対向する側壁部２４とを含む半筒状に形成されている。これにより、プロテクタ２０は、底部２２と側壁部２４とに囲まれる空間に電線１４を収容可能である。また、側壁部２４には複数の係止凹部２６が形成されている。
【００３５】
具体的には、プロテクタ２０の長手方向に垂直な方向に沿って切断した断面において底部２２は、外側に出っ張るような曲線状に形成されている。これにより、プロテクタ２０の内部において、電線群１２が配設されない余分なスペースを減らすことができる。そして、この底部２２の曲線状部分の両側端部から一対の対向する側壁部２４が、ここでは、互いに平行な態様で延びるように設けられている。つまり、ここでは、プロテクタ２０の長手方向に沿って切断した断面はＵ字状に形成されている。そして、プロテクタ２０は、このＵ字状断面が直線状に続く態様となっている。
【００３６】
底部２２と一対の側壁部２４とにより、プロテクタ２０は、筒状の部材の周方向の一部が開口した半筒状に形成されている。そして、底部２２と一対の側壁部２４とに囲まれる空間に周方向における開口部分を通して電線群１２を収容可能となっている。
【００３７】
また、ここでは、プロテクタ２０は、電線群１２のうち幹線１６から枝線１８が分岐する部分（ここでは、４つの枝線１８が順次分岐する部分）に一体的に装着されている。これにより、電線群１２のうち枝線１８が分岐する箇所の前後に、別体のプロテクタ２０をそれぞれ装着する場合に比べて、電線群１２へのプロテクタ２０の装着作業が容易となる。
【００３８】
複数の係止凹部２６は、一対の側壁部２４の少なくとも一方（ここでは、両方）に、その長手方向に沿って並列状に形成されている。複数の係止凹部２６には、図１のように、使われていないものがあってもよい。
【００３９】
ここでは、係止凹部２６は、側壁部２４のうちプロテクタ２０の内側を向く面（内向き面）と外側を向く面（外向き面）とを貫通するように形成された貫通孔２６ａである。
【００４０】
もっとも、係止凹部２６が貫通孔２６ａであることは必須ではなく、係止凹部２６は、側壁部２４の内向き面又は外向き面から他方側の面に向けて凹む窪みであってもよい。係止凹部２６が窪みである場合、係止凹部は、側壁部２４の内向き面と外向き面とのどちらか一方のみに形成されていてもよいし、両方に形成されていてもよい。
【００４１】
また、ここでは、係止凹部２６は、側壁部２４の長手方向に沿って一定のピッチで形成されているが、一部のピッチが異なるように形成されていてもよい。
【００４２】
また、ここでは、係止凹部２６は、すべて同形状となるように形成されているが、一部の係止凹部２６の形状が異なるように形成されていてもよい。特に、ここでは、係止凹部２６は、正面視において正方形状に形成されているが、ほかの多角形状に形成されていてもよいし、円状（楕円状を含む）に形成されていてもよいし、これらを組み合わせた形状に形成されていてもよい。
【００４３】
係止凹部２６が、側壁部２４の長手方向に沿って一定のピッチで形成されている場合、及び、すべて同形状となるように形成されている場合、係止凹部２６の形成が容易となる。また、係止凹部２６の一部のピッチが異なるように形成されている場合、及び、一部の係止凹部２６の形状が異なるように形成されている場合、より多品種の部材を係止凹部２６に係止可能となる。
【００４４】
また、ここでは、係止凹部２６は、側壁部２４の長手方向に沿って一列のみ形成されているが、係止凹部２６は、側壁部２４の長手方向に沿って複数列形成されていてもよい。
【００４５】
また、ここでは、係止凹部２６は、側壁部２４のうちプロテクタ２０の開口部寄りの部分、つまり、底部２２とつながる端部とは反対側の自由端側の部分に形成されている。もっとも、係止凹部２６は、側壁部２４の中央に形成されていてもよいし、側壁部２４のうち底部２２寄りの部分に形成されていてもよい。係止凹部２６が、側壁部２４のうちプロテクタ２０の開口部寄りの部分に形成されていると、係止凹部２６にプロテクタ２０の内部からコネクタ５０等を係止させる場合に、コネクタ５０等が電線群１２と干渉することを抑えることができる。特に、後述する第２変形例に係るプロテクタ２０Ｂのように、プロテクタ２０Ｂの内部に収容された電線群１２を押さえる電線飛出抑制部２５が設けられている場合、係止凹部２６が側壁部２４のうち電線飛出抑制部２５よりも自由端側に形成されていると、より確実にコネクタ５０等が電線群１２と干渉することを抑えることができる。
【００４６】
このようなプロテクタ２０は、例えば、押出成形と打ち抜き加工とによって形成することができる。即ち、プロテクタ２０の本体部分は、半筒状部分が直線状につながるように押出成形によって形成することができる。そして、側壁部２４に形成された貫通孔２６ａは打ち抜き加工によって形成することができる。
【００４７】
コネクタ５０は、枝線１８の端部に設けられている。コネクタ５０は、係止構造を介して複数の係止凹部２６に選択的に係止可能である。コネクタ５０は、電線１４の端部に圧着された端子を挿入可能に形成されている。枝線１８の端部に設けられているコネクタ５０をすべてプロテクタ２０に係止させることは必須ではなく、ここでは、コネクタのうちリレー５４を後付するコネクタ５０がプロテクタ２０に係止されている。
【００４８】
ここでは、コネクタ５０を係止凹部２６に係止させる係止構造は、コネクタ５０に設けられた引掛部５２である。具体的には、一対の側壁部２４は、その幅がコネクタ５０の幅と等しくなるように設けられ、コネクタ５０は、その幅方向の側方に係止凹部２６に係止可能な引掛部５２が形成されている。これにより、プロテクタ２０のうちコネクタ５０を係止させたい箇所にプロテクタ２０の開口からコネクタ５０を挿し込み、そこの箇所に形成されている係止凹部２６に引掛部５２を引っ掛けることで、複数の係止凹部２６に選択的に係止可能となるとともに、コネクタ５０を直接係止凹部２６に係止可能となる。
【００４９】
より具体的には、ここでは、一対の側壁部２４それぞれの内向き面の間隔が、コネクタ５０の一方の側面から他方の側面までの寸法と等しいかそれよりも小さく（ここでは、等しく）なるように設定されている。そして、コネクタ５０の両側面から突出するように引掛部５２が設けられている。
【００５０】
引掛部５２は、コネクタ５０の側面に直交する直交面と、直交面の自由端側縁部からコネクタ５０のうち挿入方向先端に向かって延びる傾斜面とを有している。そしてコネクタ５０をプロテクタ２０に装着する際に、傾斜面が側壁部２４の自由端側縁部と接触してプロテクタ２０とコネクタ５０との少なくとも一方が弾性変形することで、引掛部５２が側壁部２４に沿って進み係止凹部２６に入り込むことができる。引掛部５２が係止凹部２６に入り込んだ状態で、弾性変形が解消される又は小さくなることにより、引掛部５２が係止凹部２６の内周面と接し、引掛部５２が係止凹部２６に係止可能となる。
【００５１】
なお、係止凹部２６とコネクタとに互いに嵌合するロック機構を形成してもよい。このようなロック機構を形成することで、コネクタを係止凹部に嵌めた状態でより確実に固定することができる。また、クリップ等の他の部材にコネクタと同様のロック機構を設けることで、同じ係止凹部に対してコネクタ以外にもクリップ等の他の部材を嵌めることができる。
【００５２】
蓋部３０は、板状部３２と、突部３４と、爪部３６とを含む。ここでは、蓋部３０は幹線１６から枝線１８が分岐する部分に設けられているが、枝線１８が分岐していない部分に設けられていてもよい。
【００５３】
板状部３２は、プロテクタ２０の開口部をふさぐことができる部分である。具体的には、板状部３２は、幅寸法が一対の側壁部２４の間隔と同じかそれよりも大きく設定されている。また、ここでは、板状部３２には、枝線１８を挿通可能な挿通孔が形成されている。挿通孔に枝線１８を挿通した状態で、蓋部３０をプロテクタ２０の係止凹部２６に係止させることで、プロテクタ２０の長手方向における枝線１８の分岐部分の位置ずれを抑えることができる。また、挿通孔の大きさを枝線１８の外径よりも若干小さくするなどして枝線１８が挿通孔に固定されることで、枝線１８のうち挿通孔に位置する部分から端部までの寸法を維持することができる。もっとも蓋部３０が、枝線１８が分岐していない部分に設けられる場合、板状部３２には挿通孔は形成されていなくてもよい。
【００５４】
突部３４は、板状部３２の側方に立設する。具体的には、ここでは、突部３４は、一対設けられている。一対の突部３４は、蓋部３０を係止凹部２６に係止させた状態で、一対の側壁部２４にそれぞれ沿う態様で形成されている。
【００５５】
爪部３６は、突部３４の先端に設けられ、複数の係止凹部２６に選択的に係止可能に形成されている。爪部３６は、ここでは、上述したコネクタ５０の引掛部５２と同様に、直交面と傾斜面とを有する構成を採用している。
【００５６】
ここでは、爪部３６が係止凹部２６に対してプロテクタ２０の内部から係止しているため、突部３４は、一対の側壁部２４の内側の面に沿うように形成されるとともに、爪部３６が、突部３４の外向きの面に突設されている。もっとも、後述する第１変形例に係るコネクタ係止部材４０のように、爪部３６が係止凹部２６に対してプロテクタ２０の外部から係止する構造であってもよい。
【００５７】
もっとも蓋部３０が設けられることは必須ではないが、蓋部３０が設けられることにより、プロテクタ２０の内部に収容されている電線群１２のうち、蓋部３０が設けられている部分の四方を囲うことができる。これにより、蓋部３０が設けられている部分において電線群１２から一部の電線１４がプロテクタ２０の外部に飛び出すことを抑えることができる。
【００５８】
なお、蓋部３０が設けられていない部分であってコネクタ５０等が装着されずにプロテクタ２０が開口している部分については、テープ等が巻かれることにより、開口部分が閉じられていることが好ましい。これにより、電線群１２の一部がプロテクタ２０から飛び出すことを抑えることができる。
【００５９】
バンドクリップ６０は、帯状に形成されたバンド部６２と、バンド部６２の一方側端部とつながると共にバンド部６２の他方側端部を係止可能に形成されたバンド固定部６４と、バンド固定部に設けられ、取付対象物に形成された取付孔に挿入及び係止可能に形成された取付片６６とを含む。バンド部６２が少なくとも１つ（ここでは、２つ）の貫通孔２６ａに挿通されるとともに、プロテクタ２０に巻回された状態で、バンド固定部６４に係止される。これにより、プロテクタ２０の長手方向において任意の貫通孔２６ａの位置にバンドクリップ６０を固定することができる。
【００６０】
具体的には、バンド部６２の内周面と外周面とのうち少なくとも一方側の面（ここでは、外周面）には後述するバンド係止部が選択的に係止可能な複数の凹部が形成されている。複数の凹部のうちの各凹部は、ここでは、バンド部６２の先端側にバンド部６２の長手方向に沿って一定の間隔で順に形成されている。なお、各凹部の間隔が一定であることは必須ではない。また、ここでは、バンド部６２の先端側部分付近には凹部は形成されていない。より具体的には、各凹部の形状は、バンド部６２の厚み方向中央に向けて凹む形状に形成されている。
【００６１】
バンド固定部６４は、ここでは、直方体状に形成され、そのうちの一つの面からバンド部６２が突出するとともに、反対側の面に取付片が設けられている。また、バンド固定部６４は、バンド挿通部とバンド係止部とを備える。
【００６２】
バンド挿通部は、バンド部６２が挿通及び係止可能な係止孔が形成されている。ここでは、バンド挿通部は、両端側に開口する角筒状に形成されており、その内部に角孔状の係止孔が形成されている。係止孔の幅寸法は、バンド部６２の幅寸法よりも大きく、係止孔の高さ寸法はバンド部６２の厚み寸法よりも大きい。バンド部６２は電線１４及びプロテクタ２０に巻付けられた後、バンド挿通部の一端側開口から他端側開口に向けて係止孔内に挿通される。ここでは、バンド固定部６４のうちバンド部６２が突出する面に直交する一対の側面を貫通する断面四角形の孔を形成することで、バンド挿通部及び係止孔としている。
【００６３】
バンド係止部は、バンド部６２の一方側の面に複数設けられた凹部に選択的に係止可能に構成されている。ここでは、バンド係止部は、バンド挿通部のバンド部６２側とは反対側の内周面から突出する突起状に形成され、バンド部６２の外周面に設けられた凹部に選択的に係止可能に構成されている。
【００６４】
バンド係止部の幅寸法は、凹部の幅寸法と同じかそれよりも小さく（ここでは、若干小さく）設定されている。また、バンド係止部の高さ寸法は、凹部の深さ寸法と同じかそれよりも大きく（ここでは、若干大きく）設定されている。
【００６５】
ここで、バンド部６２とバンド固定部６４とで、バンド部６２を係止させる動作について説明する。
【００６６】
まずは、係止孔にバンド部６２を先端側部分から挿通していく。この際に、凹部が設けられていない先端側部分がバンド係止部を通過する際にはバンド係止部が弾性変形して凹部が設けられている部分までバンド部６２が挿通される。そして凹部が形成されている部分がバンド係止部まで挿通されるとバンド係止部が弾性変形の状態から元に戻り凹部に入り込む。
【００６７】
この状態で、バンド部６２をさらに挿通させようとすると、バンド部６２及びバンド係止部が弾性変形し、バンド部６２が挿通可能になる。
【００６８】
これに対して、バンド部６２を係止孔から抜く向きには、バンド部６２とバンド係止部とが引っかかり抜止状態になる。そしてバンド部６２がそれ以上挿通不能となるところまでバンド部６２を係止孔に挿通させることで、バンド部６２はどちらの向きにも動けず係止状態となる。
【００６９】
この際に、バンド部６２のうちバンド係止部を通過した余長部分については、切断されることで他の部材に干渉することを抑えることができる。
【００７０】
なお、バンド係止部は一度に１つの凹部にのみ入り込む形状でもよいし、同時に２つ以上の凹部に入り込むように形成されていてもよい。バンド係止部が同時に２つ以上の凹部に入り込むように形成されていると、バンド部６２の係止状態（抜止状態）がより強固になる。
【００７１】
もっとも、バンド部６２をバンド固定部６４に固定する構成は、上記したものに限られない。例えば、凹部がバンド部６２の側部に設けられ、バンド係止部がバンド挿通部の内周側の側面に設けられていてもよい。つまり、バンド部６２が電線１４に巻回された状態で、バンド部６２の先端側から順にバンド固定部６４に固定可能なものであればよい。
【００７２】
取付片６６は、バンド固定部に突設される皿部６７と、皿部６７に突設される軸部６８と、軸部６８に突設される羽部６９とを含む。
【００７３】
羽部６９は、軸部６８の先端から皿部６７側に向かって斜めに延びるように一対形成されている。この一対の羽部６９の間隔は、車体パネル等の取付対象物に形成された取付孔の径よりも大きくなるように形成されている。また、羽部６９は、軸部６８側に向けて曲るように弾性変形可能に形成されている。
【００７４】
皿部６７は、取付孔を通過布のとなるように取付孔よりも大きく形成されている。また、軸部６８の延在方向に沿った方向において、皿部６７の外縁部と羽部６９の先端との間には、取付孔の内周縁部の厚み寸法分程度の隙間があけられている。
【００７５】
取付対象物に形成された取付孔に対して取付片６６を軸部６８の先端から挿入していくことによって、羽部６９が取付孔の内周縁部に接触する。そして、そのまま挿入方向に力を加えると羽部６９が軸部６８側に向けて曲るように弾性変形し、羽部６９が取付孔を通過可能となる。羽部６９が取付孔を通過した後は、羽部６９の弾性変形が元に戻る。これにより、羽部６９の先端と皿部６７の外縁部との間に取付孔の内周縁部が位置し、取付片６６がどちらの方向にも抜止状態、つまり、取付片６６が取付穴に係止した状態となる。
【００７６】
なお、ここでは、バンドクリップ６０をプロテクタ２０に固定した状態で、取付片６６が側壁部２４のうち貫通孔２６ａが形成されている位置にくるように取り付けられているが、このことは必須ではない。取付片６６の位置は側壁部２４の中央であってもよいし、底部２２であってもよい。
【００７７】
また、ここでは、幹線１６のうちプロテクタ２０の端部から延出する部分にも上記バンドクリップ６０と同様のバンドクリップ６０ａが取り付けられている。
【００７８】
このようなワイヤーハーネス１０によると、コネクタ５０が係止構造を介して複数の係止凹部２６に選択的に係止可能であるため、コネクタ５０の装着位置を変更するなどの設計変更に、より円滑に対応することができる。
【００７９】
特に、一対の側壁部２４は、その幅がコネクタ５０の幅と等しくなるように設けられ、コネクタ５０は、その側方に係止凹部２６に係止可能な引掛部５２が形成されているため、プロテクタ２０にコネクタ５０をそのまま差し込み係止させることができる。
【００８０】
また、係止凹部２６は、側壁部２４のうちプロテクタ２０の内側を向く面と外側を向く面とを貫通するように形成された貫通孔２６ａであるため、コネクタ５０の他にもバンドクリップ６０など、より多品種の部材をプロテクタ２０に係止可能となる。
【００８１】
特に、バンドクリップ６０のバンド部６２が貫通孔２６ａに挿通されているため、プロテクタ２０の長手方向に対してバンドクリップ６０の位置がずれるのを抑えることができる。
【００８２】
また、プロテクタ２０は、半筒状部分が直線状につながるように押出成形によって形成され、貫通孔２６ａは打ち抜き加工によって形成されているため、プロテクタ２０の製造が容易となる。
【００８３】
また、係止凹部２６は、一対の側壁部２４の両方に形成されているため、プロテクタ２０の両側の係止凹部２６を用いてコネクタ５０を係止可能となることによって、コネクタ５０のがたつきを抑えることができる。
【００８４】
また、板状部３２と、板状部３２の両側方に立設する突部３４と、突部３４の先端に設けられ、複数の係止凹部２６に選択的に係止可能な爪部３６とを含む蓋部３０をさらに備えるため、プロテクタ２０内に収容された電線群１２の周囲を囲うことができる。これにより、電線群１２の一部がプロテクタ２０から飛び出すことを抑えることができる。
【００８５】
｛変形例｝
次に、実施形態に係るワイヤーハーネス１０の変形例について説明する。なお、以下の各変形例の説明において、実施形態で説明したものと同様構成要素については同一符号を付してその説明を省略する。
【００８６】
まずは、第１変形例に係るワイヤーハーネス１０Ａについて説明する。図６は、第１変形例に係るワイヤーハーネス１０Ａを示す部分概略断面図である。
【００８７】
第１変形例に係るワイヤーハーネス１０Ａは、コネクタ５０Ａの係止構造が実施形態に係るワイヤーハーネス１０のコネクタ５０の係止構造とは異なる。
【００８８】
具体的には、第１変形例に係るワイヤーハーネス１０Ａは、コネクタ係止部材４０をさらに備え、コネクタ係止部材４０により、コネクタ５０Ａをプロテクタ２０に係止させている。つまり、第１変形例に係るワイヤーハーネス１０Ａのコネクタ５０Ａの係止構造は、コネクタ係止部材４０である。
【００８９】
より具体的には、コネクタ係止部材４０は、コネクタ挿入部４２と、係止爪部４６とを含む。コネクタ挿入部４２には、コネクタ５０Ａを挿入及び係止可能な挿入孔４４が形成されている。
【００９０】
係止爪部４６は、コネクタ挿入部４２から突出し、複数の係止凹部２６に選択的に係止可能に形成されている。係止爪部４６としては、上述した蓋部３０の突部３４と爪部３６との構成と同様の構成を採用することができる。
【００９１】
ここでは、コネクタ５０Ａの幅方向の寸法が一対の側壁部２４の内向き面の間隔よりも大きいため、コネクタ５０Ａをプロテクタ２０に直接係止させることができないことによって、コネクタ係止部材４０を用いているが、コネクタをプロテクタ２０に直接係止させることができる場合であっても、コネクタを、コネクタ係止部材４０を介してプロテクタに係止させてもよい。
【００９２】
第１変形例に係るワイヤーハーネス１０Ａによっても、コネクタ５０Ａを直接プロテクタ２０に挿し込み、係止することができること以外の効果については、実施形態に係るワイヤーハーネス１０と同様の効果を得ることができる。
【００９３】
また、第１変形例に係るワイヤーハーネス１０Ａによると、コネクタ５０Ａを挿入及び係止可能な挿入孔４４が形成されたコネクタ挿入部４２と、コネクタ挿入部４２から突出し、複数の係止凹部２６に選択的に係止可能な係止爪部４６とを含むコネクタ係止部材４０をさらに備えるため、コネクタ５０Ａの幅がプロテクタ２０の幅と合わない場合でも、コネクタ係止部材４０によりコネクタ５０Ａをプロテクタ２０の係止凹部２６に選択的に係止可能となる。
【００９４】
次に、第２変形例に係るワイヤーハーネス１０Ｂについて説明する。図７は、第２変形例に係るワイヤーハーネス１０Ｂを示す部分概略断面図である。
【００９５】
第２変形例に係るワイヤーハーネス１０Ｂは、電線飛出抑制部２５をさらに備える点で実施形態に係るワイヤーハーネス１０とは異なる。
【００９６】
具体的には、電線飛出抑制部２５は、プロテクタ２０Ｂの側壁部２４の内向き面に突設されている。これにより、プロテクタ２０Ｂ内に収容された電線１４が、プロテクタ２０Ｂの外部に飛び出すことを抑えることができる。
【００９７】
より具体的には、電線飛出抑制部２５は、側壁部２４の内向き面のうち、係止凹部２６よりも底部２２側の位置から側壁部２４に直交するように、又は、側壁部２４から底部２２側に傾いた状態で突出するように形成されている。また、電線飛出抑制部２５は、側壁部２４に向かって倒れるように弾性変形容易に形成されている。これにより、プロテクタ２０Ｂ内部のうち、電線飛出抑制部２５よりも底部２２側に電線群１２を収容しやすくなる。ここでは、電線飛出抑制部２５の厚み寸法が、側壁部２４の厚み寸法よりも小さくなるように設定されることで、弾性変形容易となるように形成されている。
【００９８】
また、ここでは、電線飛出抑制部２５は、一対の側壁部２４の両方に形成されているが、少なくとも一方に形成されていればよい。また、ここでは、電線飛出抑制部２５の先端は丸められ、角がないように形成されている。これにより、電線飛出抑制部２５に電線群１２が接触した場合でも電線群１２が傷つくことを抑えることができる。
【００９９】
電線飛出抑制部２５は、プロテクタ２０Ｂの長手方向に沿って一部に形成されていてもよいし、プロテクタ２０Ｂの長手方向全体に亘って形成されていてもよい。電線飛出抑制部２５が、プロテクタ２０Ｂの長手方向に沿って一部に形成されている場合、点在するように複数個所に形成されていてもよい。電線飛出抑制部２５がプロテクタ２０Ｂの長手方向全体に亘って形成されていると、上記実施形態に係るプロテクタ２０Ｂと同様に押出成形で容易に形成することができる。
【０１００】
第２変形例に係るワイヤーハーネス１０Ｂによっても、実施形態に係るワイヤーハーネス１０と同様の効果を得ることができる。
【０１０１】
また、第２変形例に係るワイヤーハーネス１０Ｂによると、側壁部２４の内周面に突設された電線飛出抑制部２５をさらに備えるため、プロテクタ２０Ｂ内に収容された電線１４がプロテクタ２０Ｂの外部に飛び出すことを抑えることができる。
【０１０２】
次に、第３変形例に係るワイヤーハーネス１０Ｃについて説明する。図８は、第３変形例に係るワイヤーハーネス１０Ｃを示す部分概略正面図である。図９は、図８のＩＸ−ＩＸ線に沿って切断した部分概略断面図である。
【０１０３】
第３変形例に係るワイヤーハーネス１０Ｃは、プロテクタ２０Ｃに、ガイド凹部２８がさらに形成されている点で実施形態に係るワイヤーハーネス１０とは異なる。
【０１０４】
ガイド凹部２８は、貫通孔２６ａと側壁部２４のうち立設方向の自由端側縁部とを結ぶように形成されている。具体的には、ここでは、ガイド凹部２８は、側壁部２４の立設方向の自由端側縁部から側壁部２４の立設方向に沿って垂直な溝状に形成されている。そして、溝状に形成されたガイド凹部２８の底側の側方が貫通孔２６ａの側方につながっている。これにより、枝線１８の中間部分を、ガイド凹部２８を通して貫通孔２６ａまで移動させることができ、枝線１８が貫通孔２６ａに挿通されている状態とすることができる。また、ガイド凹部２８とつながる複数の貫通孔２６ａに対して、枝線１８は任意の貫通孔２６ａから外部に延出することができる。
【０１０５】
なお、ここでは、すべての貫通孔２６ａに対してガイド凹部２８が１つずつつながるように形成されているが、ガイド凹部２８とつながっていない貫通孔２６ａ、つまり、ガイド凹部２８が形成されていない貫通孔２６ａがあってもよい。
【０１０６】
第３変形例に係るワイヤーハーネス１０Ｃによっても、実施形態に係るワイヤーハーネス１０と同様の効果を得ることができる。
【０１０７】
また、第３変形例に係るワイヤーハーネス１０Ｃによると、プロテクタ２０Ｃに、貫通孔２６ａと側壁部２４のうち立設方向の自由端側縁部とを結ぶガイド凹部２８がさらに形成されているため、枝線１８の中間部分をガイド凹部２８の開口部分から貫通孔２６ａまで通すことで枝線１８を貫通孔２６ａに挿通させることができる。このため、枝線１８を貫通孔２６ａに挿通させる際に、枝線１８をその先端から貫通孔２６ａに挿入させる必要がなくなる。これにより、枝線１８を貫通孔２６ａに挿通させやすくなる。
【０１０８】
なお、上記実施形態及び各変形例で説明した各構成は、相互に矛盾しない限り適宜組み合わせることができる。
【０１０９】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１１０】
１０，１０Ａ，１０Ｂ，１０Ｃ  ワイヤーハーネス
１２  電線群
１４  電線
１６  幹線
１８  枝線
２０，２０Ｂ，２０Ｃ  プロテクタ
２２  底部
２４  側壁部
２５  電線飛出抑制部
２６  係止凹部
２６ａ  貫通孔
２８  ガイド凹部
３０  蓋部
３２  板状部
３４  突部
３６  爪部
４０  コネクタ係止部材
４２  コネクタ挿入部
４４  挿入孔
４６  係止爪部
５０，５０Ａ  コネクタ
５２  引掛部
６０  バンドクリップ
６２  バンド部
６４  バンド固定部
６６  取付片
【図１】
2015154545.tif 000003
【図２】
2015154545.tif 000004
【図３】
2015154545.tif 000005
【図４】
2015154545.tif 000006
【図５】
2015154545.tif 000007
【図６】
2015154545.tif 000008
【図７】
2015154545.tif 000009
【図８】
2015154545.tif 000010
【図９】
2015154545.tif 000011